(57)【特許請求の範囲】
【請求項１】
複数の画素が配設された表示領域を有し、前記複数の画素における、前段側の走査信号線に対応する画素から後段側の走査信号線に対応する画素へ、走査信号線毎に順に画素に電圧を書き込むとともに、所定数の走査信号線ごとに画素に書き込む電圧の極性が反転され、
前記印加する電圧の極性反転周期に同期して、基準電極の電位を振幅させるアクティブマトリクス型表示装置であって、
前記表示領域は互いに異なる第１の表示領域と第２の表示領域とを有し、
前記第１の表示領域は、前記前段側の走査信号線に対応する画素と前記後段側の走査信号線に対応する画素とを有し、
前記第１の表示領域に対応する前記前段側の走査信号線及び前記後段側の走査信号線が走査されているときに、当該第１の表示領域に対応する画素の画素電極に対向する第１の基準電極に矩形信号を出力するとともに、前記第２の表示領域に対応する画素の画素電極に対向する第２の基準電極に定電圧信号を出力する基準電極駆動回路を備えたことを特徴とするアクティブマトリクス型表示装置。
【発明の詳細な説明】
【技術分野】
【０００１】
本発明は、所定数の走査信号線ごとに画素に書き込む電圧の極性が反転され、前記極性反転の周期に同期して、基準電極の電位を振幅させるアクティブマトリクス型表示装置に関する。
【背景技術】
【０００２】
近年、スイッチング素子として薄膜トランジスタ（ＴＦＴ）を用いたアクティブマトリクス型表示装置が開発されている。
【０００３】
アクティブマトリクス型表示装置は、その表示領域に、マトリクス状に配置された複数の画素と、各画素を行毎に順次走査するための複数の走査信号ラインと、各画素に書込むデータを供給するための複数のデータ信号ラインとが形成されている。各画素は、ゲート電極が走査信号ラインに接続されドレイン電極がデータ信号ラインに接続されたスイッチング素子としてのＴＦＴと、ＴＦＴのソース電極に接続された画素電極と、各画素で共通の電位に設定される基準電極（共通電極）と、画素電極と基準電極との電位差を所定の電位差に保つための電荷を蓄積する補助容量と、を備えている。ここで、画素電極と基準電極との間には、例えば、画素電極と基準電極との間の電位差に応じてその配向状態が変化する液晶が配されている。
【０００４】
また、表示領域の周囲には、各走査信号ラインに接続され、この各走査信号ラインを介して前記各ＴＦＴを走査するための（オン／オフ制御するための）ゲートドライバや、各データ信号ラインに接続され、この各データ信号ラインを介して各画素（各補助容量や液晶）に所定の電圧を印加するデータドライバが形成されている。
【０００５】
ところで、液晶には、直流電圧が加わり続けると劣化するという性質がある。このため、液晶には交流電圧が印加される。この液晶への交流電圧の印加は、各画素に印加する電圧の極性を１フレーム期間毎に反転させることにより実現される。具体的には、基準電極の電位を基準とした場合のソース電極の電圧（データ信号電圧）の極性が１フレーム期間毎に反転するように、駆動が行われている。なお、１フレーム期間とは、全ての画素に電圧を印加し、１画面分の画像を画面上に表示するための期間である。
【０００６】
また、表示領域内で発生する輝度傾斜（輝度ムラ）などを防止するために、所定数の走査信号線ごとにおいても、画素に書き込む電圧の極性を反転している。このような駆動は、従来よりライン反転駆動として知られている。
【０００７】
しかし、ライン反転駆動は、所定数の走査信号線ごとに極性を反転させる反転周波数が、可聴帯域と一致しやすく、音鳴りが発生するといった問題がある。
【０００８】
そこで、この音鳴りを防止するために、反転周波数を可聴周波数帯域よりも高くする技術（特許文献１）や、制振材を用いることが考えられていた。
【特許文献１】特開２００６−２３５７６号公報
【発明の開示】
【発明が解決しようとする課題】
【０００９】
しかし、極性を反転させる反転周波数を可聴周波数帯域よりも高くするためには、フレームレートを上げる必要があり、単位時間当たりのフレーム切り替え回数が増え、データ信号線の充電電力が増大し、結果として消費電力が増大するという問題が生じる。また、制振材を用いるためには、その材料費や加工費によりコストアップとなるばかりか、表示装置の厚みが増してしまうという問題がある。さらに、表示パネルのサイズ毎に、制振材の組み込み調整が必要になるという問題もあった。
【００１０】
本発明は、かかる従来の課題に鑑みてなされたものであり、不必要に消費電力を増やすことなく簡易な構成で、音鳴りが可聴されることを防止できるアクティブマトリクス型表示装置を提供することを目的とする。
【課題を解決するための手段】
【００１４】
請求項１に記載の発明にかかるアクティブマトリクス型表示装置は、複数の画素が配設された表示領域を有し、前記複数の画素における、前段側の走査信号線に対応する画素から後段側の走査信号線に対応する画素へ、走査信号線毎に順に画素に電圧を書き込むとともに、所定数の走査信号線ごとに画素に書き込む電圧の極性が反転され、前記印加する電圧の極性反転周期に同期して、基準電極の電位を振幅させるアクティブマトリクス型表示装置であって、前記表示領域は互いに異なる第１の表示領域と第２の表示領域とを有し、前記第１の表示領域は、前記各画素の画素電極に対向する第１の基準電極を有し、前記第２の表示領域は、前記各画素の画素電極に対向する第２の基準電極を有し、前記第１の表示領域は、前記前段側の走査信号線に対応する画素と前記後段側の走査信号線に対応する画素とを有し、前記第１の表示領域に対応する前記前段側の走査信号線及び前記後段側の走査信号線が走査されているときに、当該第１の表示領域に対応する画素の画素電極に対向する第１の基準電極に矩形信号を出力するとともに、前記第２の表示領域に対応する画素の画素電極に対向する第２の基準電極に定電圧信号を出力する基準電極駆動回路を備えたことを特徴とする。
【発明の効果】
【００１５】
本発明によれば、不必要に消費電力を増やすことなく簡易な構成で、音鳴りが可聴されることを防止できる。
【発明を実施するための最良の形態】
【００１６】
（第一の実施の形態）
以下、本発明を実施するための第一の実施の形態を図面を参照して説明する。なお、第一の実施の形態では、表示領域を第一の表示領域と第二の表示領域とに二分割し、この第一の表示領域と第二の表示領域とで逆位相の音鳴りを発生させ、これらを干渉させることで、音鳴りを可聴することができないようにする場合について説明する。
【００１７】
本発明に係るアクティブマトリクス型表示装置１の概略全体構成は、図１に示すように、液晶パネル１０と、走査信号線駆動回路１１と、データ信号線駆動回路１２とを備えている。
【００１８】
液晶パネル１０は、図２に示すように、マトリクス基板１３と対向基板１４とが所定の間隔を隔てて互いに平行となるようにシール材１５により接着されるとともに、マトリクス基板１３と対向基板１４との間に液晶ＬＣが充填されている。
【００１９】
マトリクス基板１３には、対向基板１４との対向面側の表示領域Ｄａに、図３（ａ）に示すように、互いに平行な複数のデータ信号線Ｓ（ｉ）と、互いに平行でかつデータ信号線Ｓ（ｉ）に交差する複数の走査信号線Ｇ（ｊ）とが設けられている。そして、隣接する２本の走査信号線と隣接する２本のデータ信号線とで囲まれた各部分には、画素電極Ｐ（ｉ，ｊ）とスイッチング素子としてのＴＦＴ（ｉ，ｊ）が設けられている。なお、ＴＦＴ（ｉ，ｊ）は、そのゲート電極がゲート信号線Ｇ（ｊ）に、ドレイン電極がデータ信号線Ｓ（ｉ）に、ソース電極が画素電極Ｐ（ｉ，ｊ）に接続されている。ここで、ｉ＝１，２，・・・，ｍ、ｊ＝１，２，・・・，ｎ。
【００２０】
また、対向基板１４には、マトリクス基板１３との対向面側の表示領域Ｄａに、図３（ｂ）に示すように、互いが電気的に分離された第一基準電極２０Ａと第二基準電極２０Ｂが設けられている。そして、対向基板１４は、第一基準電極２０Ａが前段側の走査信号線Ｇ（１）〜Ｇ（ｎ／２）に対応する画素電極Ｐ（ｉ，１）〜Ｐ（ｉ，ｎ／２）に対向するように、また、第二基準電極２０Ｂが後段側の走査信号線Ｇ（ｎ／２＋１）〜Ｇ（ｎ）に対応する画素電極Ｐ（ｉ，ｎ／２＋１）〜Ｐ（ｉ，ｎ）に対向するように、マトリクス基板１３に対して対向配置されている。
【００２１】
つまり、液晶パネル１０は、画素電極Ｐ（ｉ，ｊ）とそれに対向する第一基準電極２０Ａまたは第二基準電極２０Ｂとで液晶ＬＣを挟持し、各画素電極Ｐ（ｉ，ｊ）単位で、各表示画素を構成している。そして、各表示画素では、画素電極Ｐ（ｉ，ｊ）の電位とそれに対向する第一基準電極２０Ａまたは第二基準電極２０Ｂの電位との差分からなる電圧が液晶ＬＣに印加されるとともに、印加された電圧に応じて液晶ＬＣの配向状態が変化し、これによって表示輝度の調整が可能となるように構成されている。
【００２２】
走査信号線駆動回路１１は、液晶パネル１０に設けられた各走査信号線Ｇ（ｊ）に対して、走査信号としてのハイレベルまたはローレベルの電圧を出力するためのものである。
【００２３】
走査信号線駆動回路１１は、図４に示すように、データ信号線駆動回路１２から入力されるゲートスタートパルス信号ＧＳＰ及びゲートクロック信号ＧＣＫに基づいて、各走査信号線Ｇ（ｊ）に走査信号を出力する。具体的には、ゲートスタートパルス信号ＧＳＰに応じて当該フレームでの走査を開始するとともに、ゲートクロック信号ＧＣＫに応じて、所定の期間だけローレベル電圧Ｖｇｌからハイレベル電圧Ｖｇｈに切り換えるといった電圧出力を、最前段の走査信号線Ｇ（１）から順に最後段の走査信号線Ｇ（ｎ）まで、走査信号線毎に行う。
【００２４】
つまり、走査信号線駆動回路１１は、走査信号線Ｇ（ｊ）毎に、当該走査信号線Ｇ（ｊ）に対応するＴＦＴ（ｉ，ｊ）を順次オン状態にし、このときにデータ信号線に出力されているデータ電位を対応する画素電極Ｐ（ｉ，ｊ）に書き込む。
【００２５】
データ信号線駆動回路１２は、外部回路から入力される水平同期信号ＨＳ、垂直同期信号ＶＳ、映像データＤＡＴＡ、クロック信号ＣＬＫに基づいて、液晶パネル１０に設けられた各データ信号線Ｓ（ｉ）に対して、各データ信号線Ｓ（ｉ）に対応するデータ電位（データ信号）を、所定のタイミングで出力するものである。
【００２６】
また、データ信号線駆動回路１２は、走査信号線駆動回路１１に対して上述したゲートスタートパルス信号ＧＳＰ及びゲートクロック信号ＧＣＫを出力する。さらに、データ信号線駆動回路１２は、第一基準電極２０Ａに対して第一基準電位Ｖｃｏｍ１を出力する一方で、第二基準電極２０Ｂに対しては第二基準電位Ｖｃｏｍ２を出力する。なお、詳細は後述するが、第一基準電位Ｖｃｏｍ１と第二基準電極２０Ｂは、ともに矩形信号であり、その位相が１８０°異なっている。
【００２７】
データ信号線駆動回路１２の機能ブロック構成は、図５に示すように、制御部２１、サンプリングメモリ２２、ホールドメモリ２３、レベルシフタ２４、ＤＡ変換回路（ＤＡＣ）２５、及び出力回路２６からなる。
【００２８】
サンプリングメモリ２２は、クロック信号ＣＬＫに同期して、一水平期間毎に、走査信号線一本分の画素に対応する映像データを取り込むためのものであり、データ信号線Ｓ（ｉ）の数と同数のデータ格納領域を備えている。つまり、サンプリングメモリ２２は、走査信号線毎に当該走査信号線に対応した映像データを取り込むとともに、当該取り込んだ映像データのそれぞれを、対応するデータ信号線Ｓ（ｉ）のデータ格納領域に格納する。
【００２９】
サンプリングメモリ２２が取り込んだ一水平期間分の映像データは、後段のホールドメモリ２３からの要求にしたがって、サンプリングメモリ２２からホールドメモリ２３に転送される。ホールドメモリ２３に映像データが転送されると、サンプリングメモリ２２は、次の一水平期間分の映像データとして次の行の走査信号線に対応した映像データの取り込み状態に移る。
【００３０】
ホールドメモリ２３は、水平同期信号ＨＳに基づいて、サンプリングメモリ２２から一水平期間分の映像データを取得し、取得した映像データを後段のレベルシフタ２４に出力する。
【００３１】
レベルシフタ２４は、次段のＤＡ変換回路２５に適合させるため、入力信号のレベルを昇圧等により変換して出力する。
【００３２】
ＤＡ変換回路２５は、制御部２１から出力される極性信号ＲＥＶに応じて、レベルシフタ２４にてレベル変換されたデジタル形式の映像データをアナログ電圧に変換する。極性信号ＲＥＶがハイ状態Ｖｓｈであるとき、ＤＡ変換回路２５は、レベルシフタ２４から出力された映像データを正極性としてＤ／Ａ変換する。一方、極性信号ＲＥＶがロー状態Ｖｓｌであるとき、ＤＡ変換回路２５は、レベルシフタ２４から出力された映像データを負極性としてＤ／Ａ変換する。つまり、ＤＡ変換回路２５は、極性信号ＲＥＶがハイ状態Ｖｓｈであるときは、液晶に印加される電圧が正極性となるように映像データをＤ／Ａ変換し、極性信号ＲＥＶがロー状態Ｖｓｌであるときは、液晶に印加される電圧が負極性となるように映像データをＤ／Ａ変換する。そして、ＤＡ変換回路２５は、Ｄ／Ａ変換したアナログ電圧を後段の出力回路２６に出力する。
【００３３】
出力回路２６は、ＤＡ変換回路２５から出力される電圧をデータ電位（データ信号）として、液晶パネル１０のデータ信号線Ｓ（ｉ）に印加するものであり、バッファ回路として機能する。例えば差動増幅回路を用いたボルテージフォロア回路として構成されている。
【００３４】
制御部２１は、走査信号線駆動用信号発生部３０、基準電極駆動部３１、極性信号発生部３２を備えている。なお、制御部２１には、外部から水平同期信号ＨＳ、垂直同期信号ＶＳ、クロック信号ＣＬＫが入力される。
【００３５】
走査信号線駆動用信号発生部３０は、水平同期信号ＨＳ、垂直同期信号ＶＳ、及びクロック信号ＣＬＫに基づいて、ゲートスタートパルス信号ＧＳＰ及びゲートクロック信号ＧＣＫを生成し、走査信号線駆動回路１１に出力するためのものである。
【００３６】
基準電極駆動部３１は、第一基準電極２０Ａに第一基準電位Ｖｃｏｍ１を、また、第二基準電極２０Ｂに第二基準電位Ｖｃｏｍ２を供給するためのものである。具体的には、図４に示すように、基準電極駆動部３１は、ゲートクロック信号ＧＣＫに同期して第一基準電極２０Ａと第二基準電極２０Ｂとの間で電位が反転するように（電位が切り替わるように）、第一基準電位Ｖｃｏｍ１及び第二基準電位Ｖｃｏｍ２を生成して、第一基準電極２０Ａまたは第二基準電極２０Ｂへ供給する。ここで、第一基準電位Ｖｃｏｍ１及び第一基準電位Ｖｃｏｍ２は、ローレベル電位Ｖｃｌとハイレベル電位Ｖｃｈとからなる矩形信号である。
【００３７】
極性信号発生部３２は、ＤＡ変換回路２５がＤ／Ａ変換を行うときに、液晶ＬＣに印加する電圧の極性を正極性とするか、負極性とするかを表す極性信号ＲＥＶを発生するためのものである。ここでは、極性信号ＲＥＶは、その電位がハイレベル電位Ｖｓｈであるときに正極性を、ローレベル電位Ｖｓｌであるときに負極性を示す。具体的には、図４に示すように、極性信号発生部３２は、ゲートクロック信号ＧＣＫに同期して極性が反転するように、極性信号ＲＥＶを生成し、ＤＡ変換回路２５へ出力する。
【００３８】
このとき、極性信号発生部３２は、走査されている走査信号線に対応する基準電極の電位波形と逆位相となるように、極性信号ＲＥＶを発生させる。
【００３９】
具体的には、第一基準電極２０Ａに対向するように形成された画素電極Ｐ（ｉ，１）〜Ｐ（ｉ，ｎ／２）が接続されている走査信号線Ｇ（１）〜Ｇ（ｎ／２）を走査している間（タイミングＴ１からタイミングＴ２に至るまでの間）は、第一基準電極２０Ａに供給される第一基準電位Ｖｃｏｍ１と逆位相となるように、極性信号ＲＥＶを発生させる。つまり、タイミングＴ１からタイミングＴ２に至るまでの間は、第一基準電位Ｖｃｏｍ１としてローレベル電位Ｖｃｌが出力されているときには極性信号ＲＥＶとしてハイレベル電位Ｖｓｈを発生させ、第一基準電位Ｖｃｏｍ１としてハイレベル電位Ｖｃｈが出力されているときには極性信号ＲＥＶとしてローレベル電位Ｖｓｌを発生させる。
【００４０】
また、第二基準電極２０Ｂに対向するように形成された画素電極Ｐ（ｉ，ｎ／２＋１）〜Ｐ（ｉ，ｎ）が接続されている走査信号線Ｇ（ｎ／２＋１）〜Ｇ（ｎ）を走査している間（タイミングＴ２からタイミングＴ３に至るまでの間）は、第二基準電極２０Ｂに供給される第二基準電位Ｖｃｏｍ２と逆位相となるように、極性信号ＲＥＶを発生させる。つまり、タイミングＴ２からタイミングＴ３に至るまでの間は、第二基準電位Ｖｃｏｍ２としてローレベル電位Ｖｃｌが出力されているときには極性信号ＲＥＶとしてハイレベル電位Ｖｓｈを発生させ、第二基準電位Ｖｃｏｍ２としてハイレベル電位Ｖｃｈが出力されているときには極性信号ＲＥＶとしてローレベル電位Ｖｓｌを発生させる。
【００４１】
極性信号発生部３２の動作は、例えば、図６のフローチャートに示すように、当該制御部２１によって出力されるゲートスタートパルス信号ＧＳＰのハイレベルへの立ち上がりが検出されると（ＳＡ１／Ｙ）、内蔵カウンタのカウント値Ｋを０にリセットする（ＳＡ２）。そして、当該制御部２１によって出力されるゲートクロック信号ＧＣＫのハイレベルへの立ち上がりが検出される毎に内蔵カウンタのカウント値Ｋをインクリメントするというカウント動作を開始する（ＳＡ３）。なお。極性信号発生部３２は、当該制御部２１によって出力されるゲートスタートパルス信号ＧＳＰのハイレベルへの立ち上がりが検出されないときは（ＳＡ１／Ｎ）、後述のステップＳＡ４に進む。
【００４２】
そして、内蔵カウンタのカウント値Ｋが、予め記憶されている閾値Ｈ（例えばｎ／２）を超えていなければ（ＳＡ４／Ｎ）、第一基準電極２０Ａに対応する走査信号線Ｇ（ｊ）が走査されているとして、第一基準電位Ｖｃｏｍ１と逆位相の極性信号ＲＥＶを生成して出力し（ＳＡ５）、ステップＳＡ１に戻る。
【００４３】
一方、内蔵カウンタのカウント値Ｋが、予め記憶されている閾値Ｈ（例えばｎ／２）を超えていれば（ＳＡ４／Ｙ）、第二基準電極２０Ｂに対応する走査信号線Ｇ（ｊ）が走査されているとして、第二基準電位Ｖｃｏｍ２と逆位相の極性信号ＲＥＶを生成して出力し（ＳＡ６）、ステップＳＡ１に戻る。
【００４４】
このように、極性信号発生部３２は、第一基準電極２０Ａと第二基準電極２０Ｂとの間で異なる電位が与えられるように駆動されるのに対応させて、各画素電極Ｐ（ｉ，ｊ）に書き込まれるデータ電位の極性を調整する。
【００４５】
つまり、第一の実施の形態においては、液晶パネル１０の表示領域Ｄａにおいて、第一基準電極２０Ａが形成されている領域と、第二基準電極２０Ｂが形成されている領域との間で、ライン反転駆動のための極性反転の繰り返し周期が逆位相になるように駆動される。そして、このとき第一基準電極２０Ａが形成されている領域と、第二基準電極２０Ｂが形成されている領域とでは、第一基準電極電位Ｖｃｏｍ１及び第二基準電極電位Ｖｃｏｍ２の振幅に伴った音鳴りが発生するが、ライン反転駆動のための極性反転の繰り返し周期が互いに逆位相であるため、それぞれで発生する音の位相は逆位相となり、互いの音を打ち消し合い、音鳴りが可聴されてしまうことを防止することができる。
【００４６】
なお、上述の第一の実施形態では、表示領域Ｄａを上下方向（走査信号線Ｇ（ｊ）の配列方向）に2分割し、それぞれに、互いに位相の異なる基準電位Ｖｃｏｍ１，Ｖｃｏｍ２を供給する場合について説明したが、表示領域Ｄａを上下方向に更に複数分割し（例えば、表示領域Ｄａを上下方向に６分割した場合を図７に示す）、隣接する領域間で、互いに位相の異なる基準電位Ｖｃｏｍ１，Ｖｃｏｍ２を供給する構成としてもよい。このとき、第一基準電位Ｖｃｏｍ１が供給される領域（第一基準電極２０Ａ）に対応する走査信号線Ｇ（ｊ）の数と、第二基準電位Ｖｃｏｍ２が供給される領域（第二基準電極２０ｂ）に対応する走査信号線Ｇ（ｊ）の数とが等しいことが好ましい。各領域で発生する音をより効果的に打ち消し合うことができる。
【００４７】
（第二の実施の形態）
以下、本発明を実施するための第二の実施の形態を図面を参照して説明する。なお、第二の実施の形態では、表示領域を第一の表示領域と第二の表示領域とに二分割し、各フレームにおいて一方の表示領域へのデータ書き込み時には、他方の表示領域での基準電位振幅を停止させることで、音鳴りの発生量自体を低減させ、音鳴りを可聴することができないようにする場合について説明する。また、第一の実施の形態と同一構成のものについては、その説明は省略する。
【００４８】
図８に示すように、本第二の実施の形態では、極性信号発生部３２は、ゲートクロック信号ＧＣＫに同期して極性が反転するように、極性信号ＲＥＶを生成し、ＤＡ変換回路２５へ出力する。
【００４９】
次に、基準電極駆動部３１は、第一基準電極２０Ａに対向するように形成された画素電極Ｐ（ｉ，１）〜Ｐ（ｉ，ｎ／２）が接続されている走査信号線Ｇ（１）〜Ｇ（ｎ／２）を走査している間（タイミングＴ４からタイミングＴ５に至るまでの間）は、第一基準電極２０Ａに対して、第一基準電位Ｖｃｏｍ１としてローレベル電位Ｖｃｌとハイレベル電位Ｖｃｈとからなる矩形信号を出力する。一方、第二基準電極２０Ｂに対しては、第二基準電位Ｖｃｏｍ２としてローレベル電位Ｖｃｌまたはハイレベル電位Ｖｃｈの何れか一方のみからなる直流信号（定電圧信号）を出力する（ここでは例えばローレベル電位Ｖｃｌを出力する）。
【００５０】
また、基準電極駆動部３１は、第二基準電極２０Ｂに対向するように形成された画素電極Ｐ（ｉ，ｎ／２＋１）〜Ｐ（ｉ，ｎ）が接続されている走査信号線Ｇ（ｎ／２＋１）〜Ｇ（ｎ）を走査している間（タイミングＴ５からタイミングＴ６に至るまでの間）は、第一基準電極２０Ａに対して、第一基準電位Ｖｃｏｍ１としてローレベル電位Ｖｃｌまたはハイレベル電位Ｖｃｈの何れか一方のみからなる直流信号（定電圧信号）を出力する（ここでは例えばローレベル電位Ｖｃｌを出力する）。一方、第二基準電極２０Ｂに対しては、第二基準電位Ｖｃｏｍ２としてローレベル電位Ｖｃｌとハイレベル電位Ｖｃｈとからなる矩形信号を出力する。
【００５１】
なお、第一基準電位Ｖｃｏｍ１としての矩形信号、及び、第二基準電位Ｖｃｏｍ２としての矩形信号は、極性信号発生部３２により出力される極性信号ＲＥＶと、位相が逆位相になるように出力される。つまり、極性信号ＲＥＶとしてハイレベル電位Ｖｓｈが出力されているときには第一基準電位Ｖｃｏｍ１または第二基準電位Ｖｃｏｍ２としてローレベル電位Ｖｃｌを出力し、極性信号ＲＥＶとしてローレベル電位Ｖｓｌが出力されているときには第一基準電位Ｖｃｏｍ１または第二基準電位Ｖｃｏｍ２としてハイレベル電位Ｖｃｈを出力する。
【００５２】
基準電極駆動部３１の動作は、例えば、図９のフローチャートに示すように、当該制御部２１によって出力されるゲートスタートパルス信号ＧＳＰのハイレベルへの立ち上がりが検出されると（ＳＢ１／Ｙ）、内蔵カウンタのカウント値Ｒを０にリセットする（ＳＢ２）。そして、当該制御部２１によって出力されるゲートクロック信号ＧＣＫのハイレベルへの立ち上がりが検出される毎に内蔵カウンタのカウント値Ｒをインクリメントするというカウント動作を開始する（ＳＢ３）。なお。基準電極駆動部３１は、当該制御部２１によって出力されるゲートスタートパルス信号ＧＳＰのハイレベルへの立ち上がりが検出されないときは（ＳＢ１／Ｎ）、後述のステップＳＢ４に進む。
【００５３】
そして、内蔵カウンタのカウント値Ｒが、予め記憶されている閾値Ｆ（例えばｎ／２）を超えていなければ（ＳＢ４／Ｎ）、第一基準電極２０Ａに対応する走査信号線Ｇ（ｊ）が走査されているとして、第一基準電極２０Ａにローレベル電位Ｖｃｌとハイレベル電位Ｖｃｈとからなるゲートクロック信号ＧＣＫに同期した矩形信号としてのＶｃｏｍ１を生成して出力する一方、第二基準電極２０Ｂにハイレベル電位Ｖｃｈからなる定電圧信号としてのＶｃｏｍ２を生成して出力し（ＳＢ５）、ステップＳＢ１に戻る。
【００５４】
また、内蔵カウンタのカウント値Ｒが、予め記憶されている閾値Ｆ（例えばｎ／２）を超えていれば（ＳＢ４／Ｙ）、第二基準電極２０Ｂに対応する走査信号線Ｇ（ｊ）が走査されているとして、第一基準電極２０Ａにハイレベル電位Ｖｃｈからなる定電圧信号としてのＶｃｏｍ１を生成して出力する一方、第二基準電極２０Ｂにローレベル電位Ｖｃｌとハイレベル電位Ｖｃｈとからなるゲートクロック信号ＧＣＫに同期した矩形信号としてのＶｃｏｍ２を生成して出力し（ＳＢ６）、ステップＳＢ１に戻る。
【００５５】
つまり、第二の実施の形態においては、液晶パネル１０の表示領域Ｄａにおいて、第一基準電極２０Ａが形成されている領域または第二基準電極２０Ｂが形成されている領域の何れか一方のみに対して基準電極の電位が振幅駆動されているため、表示領域Ｄａ全体に対して基準電極の電位が一律に振幅駆動されている場合に比べて、発生する音鳴りを半減させることができる。
【００５６】
なお、上述の第二の実施の形態では、表示領域Ｄａを上下方向（走査信号線Ｇ（ｊ）の配列方向）に2分割し、走査中の走査信号線Ｇ（ｊ）が含まれる領域の基準電極に対して矩形信号としての基準電位を供給（出力）するとともに、他方の基準電極に対して低電圧信号としての基準電位を供給する構成について説明したが、表示領域Ｄａを上下方向に更に複数分割し、走査中の走査信号線Ｇ（ｊ）が含まれる領域の基準電極に対して矩形信号としての基準電位を供給するとともに、それ以外の基準電極に対して低電圧信号としての基準電位を供給する構成としてもよい。このように、矩形信号としての基準電位が供給される表示領域（画素数）が、より小さくなるように構成すれば、各領域で発生する音をより効果的に低減することができる。
【００５７】
また、上述の実施の形態では、走査信号線１本毎に、液晶に印加される電圧の極性が反転する場合について説明したが、画素に印加する電圧の極性反転周期に同期して、複数本の走査信号線毎に、液晶に印加される電圧の極性が反転する構成としてもよい。
【図面の簡単な説明】
【００５８】
【図１】アクティブマトリクス型表示装置の概略構成図
【図２】液晶パネルの概略断面構成図
【図３】表示領域の説明図であり、(ａ)はマトリクス基板の平面図、（ｂ）は対向基板の平面図
【図４】第一の実施の形態での走査信号線駆動回路及びデータ信号線駆動回路の動作を説明するためのタイミングチャート
【図５】データ信号線駆動回路の説明図
【図６】第一の実施の形態での極性信号発生部の動作を説明するためのフローチャート
【図７】変形例におけるアクティブマトリクス型表示装置の概略構成図
【図８】第二の実施の形態での走査信号線駆動回路及びデータ信号線駆動回路の動作を説明するためのタイミングチャート
【図９】第二の実施の形態での基準電極駆動部の動作を説明するためのフローチャート
【符号の説明】
【００５９】
１：アクティブマトリクス型表示装置
１０：液晶パネル
１１：走査信号線駆動回路
１２：データ信号線駆動回路
２０Ａ：第一基準電極
２０Ｂ：第二基準電極
２１：制御部
３０：走査信号線駆動用信号発生部
３１：基準電極駆動部
３２：極性信号発生部
ＧＳＰ：ゲートスタートパルス信号
ＧＣＫ：ゲートクロック信号
Ｓ（ｉ）：データ信号線(ｉ＝１，２，３，・・・，ｍ)
Ｇ（ｊ）：走査信号線(ｊ＝１，２，３，・・・，ｎ)
Ｖｃｏｍ１：第一基準電位
Ｖｃｏｍ２：第二基準電位
ＲＥＶ：極性信号
【図１】
0005130849.tif 000002
【図２】
0005130849.tif 000003
【図３】
0005130849.tif 000004
【図４】
0005130849.tif 000005
【図５】
0005130849.tif 000006
【図６】
0005130849.tif 000007
【図７】
0005130849.tif 000008
【図８】
0005130849.tif 000009
【図９】
0005130849.tif 000010